(57)【要約】【課題】映像表示装置に最適な映像フォーマットを選択し、設定することができる映像処理装置、映像処理方法、並びにプログラム及び記憶媒体を提供する。【解決手段】映像入出力装置のＣＰＵ１１１は、映像フォーマットを高精細なものから低精細なものの順に選択し、選択された映像フォーマットの映像を外部の映像表示装置４００に出力する。そして、映像表示装置４００で表示可能な最も高精細な映像フォーマットを確認し、確認された映像フォーマットを映像表示装置４００に出力する映像フォーマットとして決定する。【選択図】図１
2007201614.tif 000002
【特許請求の範囲】
【請求項１】
互いに精細度が異なる複数種類の映像フォーマットの映像信号を外部の映像表示装置に出力する映像出力手段と、
前記映像出力手段より出力する映像信号の映像フォーマットを、高精細なものから低精細なものへ切り替える切り替え手段と、
前記映像出力手段より出力された映像信号の前記複数種類の映像フォーマットのうち、前記映像表示装置で表示可能な最も高精細な映像フォーマットを確認する映像確認手段と、
前記確認された映像フォーマットを前記映像表示装置に出力する映像フォーマットとして決定するフォーマット決定手段とを備えることを特徴とする映像処理装置。
【請求項２】
さらに、前記映像表示装置で映像とともに出力される音声を確認する音声確認手段を備えることを特徴とする請求項１記載の映像処理装置。
【請求項３】
前記映像出力手段より出力中の映像信号の映像フォーマットを示す情報を表示する表示手段を備えることを特徴とする請求項１又は２記載の映像処理装置。
【請求項４】
前記映像確認手段は、前記映像表示装置にて表示中の映像を認識する認識手段を有し、前記切り替え手段は、前記認識手段により前記表示中の映像が前記映像出力手段より出力中の映像信号に係る映像と一致しないと認識した場合に、前記映像出力手段より出力する映像信号をより低精細な映像フォーマットに切り替えることを特徴とする請求項１記載の映像処理装置。
【請求項５】
前記決定手段は、前記認識手段により前記表示中の映像が前記映像出力手段より出力中の映像信号に係る映像と一致したと認識した場合には、前記映像出力手段より出力中の映像信号の映像フォーマットを前記映像表示装置に出力する映像フォーマットとして決定することを特徴とする請求項４記載の映像処理装置。
【請求項６】
互いに精細度が異なる複数種類の映像フォーマットの映像信号を外部の映像表示装置に出力する映像出力手段と、
前記映像出力手段より出力する映像信号の映像フォーマットを、高精細なものから低精細なものへ切り替える切り替え手段と、
前記映像出力手段より前記映像表示装置に対する前記映像信号の出力中、任意に映像フォーマットの決定を指示する指示手段と、
前記指示手段による指示があったときに前記映像出力手段より出力中の映像信号の映像フォーマットを前記映像表示装置に出力する映像フォーマットとして決定するフォーマット決定手段とを備えることを特徴とする映像処理装置。
【請求項７】
前記切り替え手段は、前記映像フォーマットの切り替えの指示に応じて、前記映像出力手段より出力する映像信号の映像フォーマットを、高精細なものから低精細なものへ切り替えることを特徴とする請求項６記載の映像処理装置。
【請求項８】
前記切り替え手段は、映像フォーマットの選択指示に応じて、前記映像出力手段より出力する映像信号を前記複数種類の映像フォーマットのうち最も高精細な映像フォーマットの映像信号に設定し、その後、前記映像出力手段より出力する映像信号の映像フォーマットを、高精細なものから低精細なものへ切り替えることを特徴とする請求項６記載の映像処理装置。
【請求項９】
前記切り替え手段は、予め決められた期間毎に前記映像出力手段より出力する映像信号の映像フォーマットを、高精細なものから低精細なものへ切り替えることを特徴とする請求項６記載の映像処理装置。
【請求項１０】
互いに精細度が異なる複数種類の映像フォーマットの映像信号を外部の映像表示装置に出力する映像出力ステップと、
前記映像出力手段より出力する映像信号の映像フォーマットを、高精細なものから低精細なものへ切り替える切り替えステップと、
前記映像出力手段より出力された映像信号の前記複数種類の映像フォーマットのうち、前記映像表示装置で表示可能な最も高精細な映像フォーマットを確認する映像確認ステップと、
前記確認された映像フォーマットを前記映像表示装置に出力する映像フォーマットとして決定するフォーマット決定ステップとを備えることを特徴とする映像処理方法。
【請求項１１】
さらに、前記映像表示装置で映像とともに出力される音声を確認する音声確認ステップを備えることを特徴とする請求項１０記載の映像処理方法。
【請求項１２】
前記映像出力ステップで出力中の映像信号の映像フォーマットを示す情報を表示する表示ステップを備えることを特徴とする請求項１０又は１１記載の映像処理方法。
【請求項１３】
前記映像確認ステップは、前記映像表示装置にて表示中の映像を認識する認識ステップを有し、前記切り替えステップは、前記認識ステップで前記表示中の映像が前記映像出力手段より出力中の映像信号に係る映像と一致しないと認識した場合に、前記映像出力ステップで出力する映像信号をより低精細な映像フォーマットに切り替えることを特徴とする請求項１０記載の映像処理方法。
【請求項１４】
前記決定ステップは、前記認識ステップで前記表示中の映像が前記映像出力ステップより出力中の映像信号に係る映像と一致したと認識した場合には、前記映像出力ステップで出力中の映像信号の映像フォーマットを前記映像表示装置に出力する映像フォーマットとして決定することを特徴とする請求項１３記載の映像処理方法。
【請求項１５】
互いに精細度が異なる複数種類の映像フォーマットの映像信号を外部の映像表示装置に出力する映像出力ステップと、
前記映像出力ステップで出力する映像信号の映像フォーマットを、高精細なものから低精細なものへ切り替える切り替えステップと、
前記映像出力ステップで前記映像表示装置に対する前記映像信号の出力中、任意に映像フォーマットの決定を指示する指示ステップと、
前記指示ステップで指示があったときに前記映像出力ステップで出力中の映像信号の映像フォーマットを前記映像表示装置に出力する映像フォーマットとして決定するフォーマット決定ステップとを備えることを特徴とする映像処理方法。
【請求項１６】
前記切り替えステップは、前記映像フォーマットの切り替えの指示に応じて、前記映像出力手段より出力する映像信号の映像フォーマットを、高精細なものから低精細なものへ切り替えることを特徴とする請求項１５記載の映像処理方法。
【請求項１７】
前記切り替えステップは、映像フォーマットの選択指示に応じて、前記映像出力ステップで出力する映像信号を前記複数種類の映像フォーマットのうち最も高精細な映像フォーマットの映像信号に設定し、その後、前記映像出力ステップで出力する映像信号の映像フォーマットを、高精細なものから低精細なものへ切り替えることを特徴とする請求項１５記載の映像処理方法。
【請求項１８】
前記切り替えステップは、予め決められた期間毎に前記映像出力ステップで出力する映像信号の映像フォーマットを、高精細なものから低精細なものへ切り替えることを特徴とする請求項１５記載の映像処理方法。
【請求項１９】
互いに精細度が異なる複数種類の映像フォーマットの映像信号を外部の映像表示装置に出力する映像出力モジュールと、
前記映像出力手段より出力する映像信号の映像フォーマットを、高精細なものから低精細なものへ切り替える切り替えモジュールと、
前記映像出力手段より出力された映像信号の前記複数種類の映像フォーマットのうち、前記映像表示装置で表示可能な最も高精細な映像フォーマットを確認する映像確認モジュールと、
前記確認された映像フォーマットを前記映像表示装置に出力する映像フォーマットとして決定するフォーマット決定モジュールとをコンピュータに実行させることを特徴とする映像処理プログラム。
【請求項２０】
互いに精細度が異なる複数種類の映像フォーマットの映像信号を外部の映像表示装置に出力する映像出力モジュールと、
前記映像出力ステップで出力する映像信号の映像フォーマットを、高精細なものから低精細なものへ切り替える切り替えモジュールと、
前記映像出力ステップで前記映像表示装置に対する前記映像信号の出力中、任意に映像フォーマットの決定を指示する指示モジュールと、
前記指示ステップで指示があったときに前記映像出力ステップで出力中の映像信号の映像フォーマットを前記映像表示装置に出力する映像フォーマットとして決定するフォーマット決定モジュールとをコンピュータに実行させることを特徴とする映像処理プログラム。
【請求項２１】
請求項１９記載の映像処理プログラムを格納することを特徴とするコンピュータ読取り可能な記憶媒体。
【請求項２２】
請求項２０記載の映像処理プログラムを格納することを特徴とするコンピュータ読取り可能な記憶媒体。
【発明の詳細な説明】
【技術分野】
【０００１】
本発明は、映像処理装置及び方法、並びにプログラム及び記憶媒体に関し、特に、外部機器(映像表示装置)で表示し得る、最も高精細な映像フォーマットの映像を出力することができる映像処理装置及び方法、並びにプログラム及び記憶媒体に関する。
【背景技術】
【０００２】
ビデオカメラに代表される映像入出力装置において、従来、映像信号を入出力する端子としてＤ端子が知られている。Ｄ端子は現在、Ｄ１〜Ｄ５端子の５つが用意されており、それぞれ、４８０ｉ,４８０ｐ,１０８０ｉ,７２０ｐ,１０８０ｐという異なるフォーマットの映像信号を送受信することができる。又、Ｄ端子は下位互換性があり、例えば、Ｄ５端子ではＤ１からＤ４端子までの映像信号を全て受信することが可能となっている（図３）。
【０００３】
又、映像の出力側である映像入出力装置のＤ端子には映像信号と同時に、どの映像フォーマットの信号かを判別するための信号が流れている。そのため、映像の受け側である映像表示装置は受信した映像フォーマットを認識することができる。
【０００４】
Ｄ端子を有するテレビなどの映像表示装置では、Ｄ端子から入力される映像フォーマットが表示可能なフォーマットかを判別し、表示できない場合には映像ミュートやブルーバックなどの表示を行うようになっている。
【０００５】
このような、映像の出力側(映像入出力装置)は、Ｄ端子によって接続されている映像表示装置で表示可能な映像フォーマットを判別する手段を有していない。そのため、一番高画質な映像フォーマットで映像を見るためには予め映像表示装置が対応している映像フォーマットを調べ、映像の出力側で対応した映像フォーマットを選択する必要がある。
【０００６】
そこで、従来、Ｄ端子の予備ライン（図２）を用いて映像表示装置が対応する映像フォーマットを映像表示装置側で抽出し、映像入出力装置側へ伝えるという構成が考えられている（例えば、特許文献１参照）。この場合、本来のＤ端子の規格にない信号を用いて、映像入出力装置側と映像表示装置側が通信を行う。これにより、映像入出力装置は、映像表示装置が対応する一番高画質な映像フォーマットを自動的に選択することができる。
【特許文献１】特開２００１−１８９８９７号公報
【発明の開示】
【発明が解決しようとする課題】
【０００７】
しかしながら、本来のＤ端子の規格にない信号を用いて、映像入出力装置と映像表示装置側が通信を行うためには、映像入出力装置と映像表示装置がその通信方式に対応している必要があり、双方の機器ともに専用のものが必要となる。従って、既存の機器と接続した場合には通信が成立しないため、映像入出力装置側で最適な映像フォーマットを自動的に選択することができない。
【０００８】
また、据え置き型のＨＤＤレコーダやＤＶＤレコーダでは、一度設置した後は、テレビモニタの買い換えなどを行わない限り、Ｄ端子出力の設定を行うことはない。
【０００９】
しかし、近年では、ビデオカメラなどの携帯用の記録再生装置においてもＤ端子を持ち、更に、ＨＤ信号のような高精細な映像信号を記録再生可能となっている。
【００１０】
この様な携帯機器は、ユーザの家庭にある複数のテレビモニタに接続されることがあり、その都度Ｄ端子から出力する映像信号のフォーマットを設定する必要がある。そのため、簡単にＤ端子からの映像信号のフォーマットを設定可能な環境を提供することが必要である。
【００１１】
本発明の目的は、映像表示装置に最適な映像フォーマットを選択し、設定することができる映像処理装置及び方法、並びにプログラム及び記憶媒体を提供することにある。
【課題を解決するための手段】
【００１２】
上記目的を達成するために、請求項１記載の映像処理装置は、互いに精細度が異なる複数種類の映像フォーマットの映像信号を外部の映像表示装置に出力する映像出力手段と、
前記映像出力手段より出力する映像信号の映像フォーマットを、高精細なものから低精細なものへ切り替える切り替え手段と、前記映像出力手段より出力された映像信号の前記複数種類の映像フォーマットのうち、前記映像表示装置で表示可能な最も高精細な映像フォーマットを確認する映像確認手段と、前記確認された映像フォーマットを前記映像表示装置に出力する映像フォーマットとして決定するフォーマット決定手段とを備えることを特徴とする。
【００１３】
請求項６記載の映像処理装置は、互いに精細度が異なる複数種類の映像フォーマットの映像信号を外部の映像表示装置に出力する映像出力手段と、前記映像出力手段より出力する映像信号の映像フォーマットを、高精細なものから低精細なものへ切り替える切り替え手段と、前記映像出力手段より前記映像表示装置に対する前記映像信号の出力中、任意に映像フォーマットの決定を指示する指示手段と、前記指示手段による指示があったときに前記映像出力手段より出力中の映像信号の映像フォーマットを前記映像表示装置に出力する映像フォーマットとして決定するフォーマット決定手段とを備えることを特徴とする。
【００１４】
請求項１０記載の映像処理方法は、互いに精細度が異なる複数種類の映像フォーマットの映像信号を外部の映像表示装置に出力する映像出力ステップと、前記映像出力手段より出力する映像信号の映像フォーマットを、高精細なものから低精細なものへ切り替える切り替えステップと、前記映像出力手段より出力された映像信号の前記複数種類の映像フォーマットのうち、前記映像表示装置で表示可能な最も高精細な映像フォーマットを確認する映像確認ステップと、前記確認された映像フォーマットを前記映像表示装置に出力する映像フォーマットとして決定するフォーマット決定ステップとを備えることを特徴とする。
【００１５】
請求項１５記載の映像処理方法は、互いに精細度が異なる複数種類の映像フォーマットの映像信号を外部の映像表示装置に出力する映像出力ステップと、前記映像出力ステップで出力する映像信号の映像フォーマットを、高精細なものから低精細なものへ切り替える切り替えステップと、前記映像出力ステップで前記映像表示装置に対する前記映像信号の出力中、任意に映像フォーマットの決定を指示する指示ステップと、前記指示ステップで指示があったときに前記映像出力ステップで出力中の映像信号の映像フォーマットを前記映像表示装置に出力する映像フォーマットとして決定するフォーマット決定ステップとを備えることを特徴とする。
【００１６】
請求項１９記載の映像処理プログラムは、互いに精細度が異なる複数種類の映像フォーマットの映像信号を外部の映像表示装置に出力する映像出力モジュールと、前記映像出力手段より出力する映像信号の映像フォーマットを、高精細なものから低精細なものへ切り替える切り替えモジュールと、前記映像出力手段より出力された映像信号の前記複数種類の映像フォーマットのうち、前記映像表示装置で表示可能な最も高精細な映像フォーマットを確認する映像確認モジュールと、前記確認された映像フォーマットを前記映像表示装置に出力する映像フォーマットとして決定するフォーマット決定モジュールとをコンピュータに実行させることを特徴とする。
【００１７】
請求項２０記載の映像処理プログラムは、互いに精細度が異なる複数種類の映像フォーマットの映像信号を外部の映像表示装置に出力する映像出力モジュールと、前記映像出力ステップで出力する映像信号の映像フォーマットを、高精細なものから低精細なものへ切り替える切り替えモジュールと、前記映像出力ステップで前記映像表示装置に対する前記映像信号の出力中、任意に映像フォーマットの決定を指示する指示モジュールと、前記指示ステップで指示があったときに前記映像出力ステップで出力中の映像信号の映像フォーマットを前記映像表示装置に出力する映像フォーマットとして決定するフォーマット決定モジュールとをコンピュータに実行させることを特徴とする。
【００１８】
請求項２１記載のコンピュータ読取り可能な記憶媒体は、請求項１９記載の映像処理プログラムを格納することを特徴とする。
【００１９】
請求項２２記載のコンピュータ読取り可能な記憶媒体は、請求項２０記載の映像処理プログラムを格納することを特徴とする。
【発明の効果】
【００２０】
本発明によれば、互いに精細度が異なる複数種類の映像フォーマットの映像信号を外部の映像表示装置に出力し、出力する映像信号の映像フォーマットを、高精細なものから低精細なものへ切り替える。また、出力された映像信号の複数種類の映像フォーマットのうち、映像表示装置で表示可能な最も高精細な映像フォーマットを確認して、確認された映像フォーマットを前記映像表示装置に出力する。つまり、複数の映像フォーマットを順に映像表示装置に出力しつつ、映像表示装置の表示から映像フォーマットを選択するので、映像表示装置に最適な映像フォーマットを選択し、設定することができる。
【００２１】
また、映像表示装置に対する映像信号の出力中、任意に映像フォーマットの決定を指示し、該指示があったときに出力中の映像信号の映像フォーマットを映像表示装置に出力する映像フォーマットとして決定してもよく、これにより、映像表示装置に最適な映像フォーマットを選択し、設定することができる。
【発明を実施するための最良の形態】
【００２２】
以下、本発明の実施の形態を図面を参照しながら詳細に説明する。
【００２３】
図１は、本発明の実施の形態に係る映像処理装置としての記録再生装置の構成を概略的に示す図である。本実施の形態の記録再生装置１００は、例えばビデオカメラレコーダなどの装置である。
【００２４】
図１において、記録再生装置１００は、映像入力デバイス１０１と、映像信号回路１０２と、記録再生制御回路１０３と、記録メディア１０４と、音声入力デバイス１０５と、音声信号回路１０６とを備える。さらに、記録再生装置１００は、メモリ１０７と、フォーマット変換回路１０８と、液晶パネル１０９と、Ｄ端子１１０と、操作スイッチ１１２と、ＣＰＵ１１１とを備える。
【００２５】
映像信号回路１０２と、記録再生制御回路１０３と、音声信号回路１０６と、メモリ１０７と、フォーマット変換回路１０８と、操作スイッチ１１２とはＣＰＵ１１１に接続されている。ＣＰＵ１１は、後述する図６及び図８の映像フォーマット選択処理を実行する。
【００２６】
図１中、各接続線の矢印は信号、データの送出方向を示す。映像入力デバイス１０１はＣＣＤ、音声入力デバイス１０５にはマイクなどを含む。記録メディア１０４はテープ、ＤＤＤなどを含む。
【００２７】
映像入力デバイス１０１と音声入力デバイス１０５より入力された信号は、それぞれ映像信号回路１０２と音声信号回路１０６へ入力され、デジタルデータとしてＣＰＵ１１１の指示で一旦メモリ１０７へ保存される。本実施形態において、映像入力デバイス１０１と音声入力デバイス１０５はそれぞれ、ビデオカメラとマイクロフォンで構成される。
【００２８】
入力された映像と音声を記録メディア１０４へ保存する場合には、ＣＰＵ１１１の制御の基にメモリ１０７に保存されているデータを記録再生制御回路１０３へ送信し、そのデータを記録メディア１０４に記録する。
【００２９】
記録したデータを再生する場合には、記録再生制御回路１０３が記録メディア１０４より映像と音声データを読み出し、フォーマット変換回路１０８へ送信し、液晶パネル１０９やＤ端子１１０へ所定のフォーマットで出力する。また、本実施形態では、フォーマット変換回路１０８により、後述のＤ１端子からＤ５端子にそれぞれ対応した、４８０ｉから１０８０ｐまでのフォーマットの映像信号を出力可能である。
【００３０】
図２は、図１におけるＤ端子の説明図であり、(ａ)はピン配置を示し、(ｂ)はピンと信号の対応図表である。
【００３１】
図２において、Ｄ端子１１０にはピンが１４本存在し、それぞれ図２(ｂ)に示すように、信号が定義されている。ピン１〜６が映像信号であり、ピン７〜１４には、ライン１，２，３と、予備ライン１，２，３と、プラグ挿入検出信号とが規定されている。
【００３２】
ライン１，２，３には、映像表示装置へ映像フォーマットを通知する信号が規定され、映像表示装置はライン１，２，３の電圧を見ることで映像フォーマットを判別することができる。プラグ挿入検出信号は映像表示装置にＤ端子ケーブルが挿入されたことを検出するために規定されている。ピン１〜６の映像信号としてアナログのコンポーネント信号が流れており、対応する映像フォーマットによってＤ１からＤ５までの５種類が規定されている。
【００３３】
図３は、図２に示すＤ端子と映像フォーマットとの対応図表である。
【００３４】
図３において、Ｄ１端子からＤ５端子のそれぞれと映像フォーマットとの対応を示している。Ｄ１端子は、対応している映像フォーマットは４８０ｉのみである。Ｄ２端子は、４８０ｐと４８０ｉに対応している。Ｄ３〜Ｄ５端子も同様に、図３に示すように対応する映像フォーマットが定義されている。
【００３５】
このように、Ｄ１〜Ｄ５端子まで数字が大きくなるほど対応可能な映像フォーマットが増え、より高精細な映像フォーマットに対応している。又、数字の大きいＤ端子は、その数字より小さいＤ端子が対応している映像フォーマットは全て表示可能となっている。又、４８０ｉは全てのＤ端子で表示可能となっており、４８０ｉはＤ端子で接続できる映像表示装置であれば必ず表示できるようになっている。
【００３６】
図４は、図１の記録再生装置と接続される映像表示装置の構成を概略的に示す図である。
【００３７】
図４において、映像表示装置４００は、Ｄ端子４０１と、映像入力回路４０２と、フォーマット変換回路４０３と、映像信号処理回路４０４と、表示デバイス４０５と、ＣＰＵ４０６とを備える。
【００３８】
表示デバイス４０５は液晶やプラズマディスプレイパネルなどを含み、デバイスによって表示可能な映像フォーマットは限られる。より多くの映像フォーマットに対応するためには、入力された映像信号を表示デバイス４０５が表示可能な映像フォーマットへ変換する必要がある。
【００３９】
Ｄ端子４０１から入力された信号は、映像入力回路４０２で処理可能なデータへ変換され、フォーマット変換回路４０３へ入力される。ＣＰＵ４０６は、Ｄ端子４０１から入力された映像フォーマットの情報を用いて、表示デバイス４０５で表示可能なフォーマットに変換するようにフォーマット変換回路４０３へ指示を出す。変換された映像信号は映像信号処理回路４０４で表示デバイス４０５用の信号に処理され、表示デバイス４０５で表示可能となる。
【００４０】
このようにして映像表示装置４００はさまざまな映像フォーマットを同一の表示デバイス４０５に表示することができるようになっているが、フォーマット変換回路４０３の性能と表示デバイス４０５の解像度によって、対応可能な映像フォーマットの種類が異なり、対応できる範囲によってＤ１〜Ｄ５端子のいずれになるかが決定される。
【００４１】
図５は、図１の記録再生装置と図４の映像表示装置の接続状態を示す図である。
【００４２】
図５において、記録再生装置１００と映像表示装置４００はＤ端子ケーブル５００によって、それぞれの機器のＤ端子(Ｄ端子１１０と４０１)が接続されている。記録再生装置１００が映像表示装置４００で表示可能な映像フォーマットで映像を出力すれば、映像表示装置４００にその映像が表示される。又、Ｄ端子には音声信号が含まれていないため、別途音声ケーブルで接続する必要がある。
【００４３】
図６は、図１の記録再生装置によって実行される映像フォーマット決定処理の手順を示すフローチャートである。
【００４４】
本処理は記録再生装置１００のＣＰＵ１１１によって実行される。また、図５に示すように、記録再生装置１００のＤ端子１１０と映像表示装置４００のＤ端子４０１がＤ端子ケーブル５００によって接続され、映像表示装置４００はＤ端子４０１に入力される信号を表示する準備が整っているものとする。
【００４５】
図６において、ユーザーが操作スイッチ１１２により記録再生装置１００に映像フォーマット選択指示を出すと、記録再生装置１００でＤ端子１１０への映像出力処理を開始し（ステップＳ６００）、記録再生装置１００では出力する映像フォーマットの選択処理を行う（ステップＳ６０１）。次いで、できるだけ高精細な映像フォーマットで表示を行うために、まず、Ｄ５相当に対応した映像表示装置４００に接続されていると仮定して、１０８０ｐの映像フォーマットで映像信号を出力する（ステップＳ６０２）(映像出力手段)。なお、このとき出力する映像信号は、記録メディア１０４から前述の様に再生された映像信号でもよいし、また、メモリ１０７に予め記憶されている、映像フォーマット選択用の特定の映像信号でもよい。ＣＰＵ１１１は、これら再生された映像信号、或いはメモリから読み出された映像信号を、フォーマット変換回路１０８により１０８０ｉのフォーマットに変換し、Ｄ端子１１０より出力する。
【００４６】
ここで、ユーザーは映像表示装置４００の画面を見て、映像が正しく表示されているかを確認する（ステップＳ６０３）。表示されていない場合には（ステップＳ６０３でＮＯ）、映像表示装置４００がその映像フォーマット(１０８０ｐ)に対応していないことになる。その場合、ユーザーは、操作スイッチ１１２により、記録再生装置１００に対して次の映像フォーマットへ処理を進める指示を出す。あるいは、ユーザーからの指示がなく所定期間経過した場合、次の映像フォーマットへ処理を進めるためにフォーマット選択処理ステップＳ６０１へ戻る。この場合、Ｄ１からＤ５までのフォーマットの映像信号を所定期間毎に切り替えながら（切り替え手段）、決定の指示があるまで繰り返し出力する。
【００４７】
そして、次に、Ｄ４相当に対応した映像表示装置４００に接続されていると仮定して、７２０ｐのフォーマットの映像信号を出力する(ステップＳ６０２)。７２０ｐが表示できない場合には次の映像フォーマットである１０８０ｉで処理を繰り返す。
【００４８】
図７は、図６に示すフローチャートにおけるフォーマット選択処理でのフォーマットの選択順番を説明する図である。
【００４９】
図７に示すように、Ｄ５(１０８０ｐ)からＤ１(４８０ｉ)まで、高精細な映像フォーマットから順に映像出力、確認処理を繰り返す。
【００５０】
図７において、映像が映像表示装置４００に適正に表示されている場合には(ステップＳ６０３でＹＥＳ)、ユーザーは操作スイッチ１１２における決定ボタンなどを押すことで、記録再生装置１００へ映像フォーマット決定の指示を行って、記録再生装置１００に、その映像フォーマットに出力を固定させて(ステップＳ６０４)(フォーマット決定手段)、本処理を終了する。
【００５１】
図６の処理によれば、Ｄ５からＤ１まで、映像フォーマットを高精細なものから低精細なものの順に出力し、映像表示装置４００に映像が表示されたところで映像フォーマットを決定することで、接続された映像表示装置４００が対応するフォーマットをユーザーが知らなくとも、一番高精細な映像フォーマットに設定することができる。
【００５２】
上記実施の形態では、はじめに記録再生装置１００では出力する映像フォーマットの選択処理ステップＳ６０１が行われていたが、その前にＤ端子ケーブル５００と音声ケーブル(図示省略)が機器間で正しく接続されていることが前提であった。しかし、ユーザーが手動で映像フォーマットを決定するため、機器間の接続が誤っていても容易にやり直すことが可能である。
【００５３】
上記実施の形態は、ユーザーが手動により映像フォーマットを決定する場合の例であったが、記録再生装置１００が自動的に映像フォーマットを決定してもよい。
【００５４】
図８は、図６の映像フォーマット決定処理の変形例の手順を示すフローチャートである。
【００５５】
本処理は記録再生装置１００のＣＰＵ１１１によって実行される。
【００５６】
図８において、まず、予め、機器間の接続を確認するため、記録再生装置１００は４８０ｉの映像フォーマットをＤ端子１１０に出力し(ステップＳ８０１)、同時に記録再生装置１００はテスト音声も出力する(ステップＳ８０２)。このテスト音声信号はメモリ１０７に記憶されており、ＣＰＵ１１１はテスト音声信号をメモリ１０７から読み出して出力する。４０８ｉの映像フォーマットはＤ端子４０１を持つ全ての映像表示装置４００で表示可能なので、接続が正しければ映像表示装置４００で表示される。
【００５７】
接続が正しければ映像表示装置４００で４８０ｉの映像フォーマットが表示されている。この場合、記録再生装置１００の映像入力デバイス１０１を映像表示装置４００に向け、映像表示装置４００が表示している映像を映像入力デバイス１０１から記録再生装置１００に入力する。そして入力された映像データによって映像表示装置４００で表示された映像が正しく出力されているか否かを判別する(ステップＳ８０３)。
【００５８】
その際の映像信号としては、映像入力デバイス１０１で判別が簡単に可能なカラーバーなどの簡単なテストパターンを用いる。又、映像表示装置４００で表示された映像が正しいかを判別する手段は、既存の技術を用いることで可能である。例えば、出力した映像と映像入力デバイス１０１で入力した映像の相関を求め、映像の一致度により判断する技術がある。
【００５９】
映像が映像表示装置４００で表示されているかを確認するのが目的のため、映像入力デバイス１０１で入力した映像中の一部に含まれていればよく、映像の大きさに関しては一致している必要がない。
【００６０】
又、音声についても映像信号と同様に、テスト音声を出力し、音声入力デバイス１０５で受信した信号によって、映像表示装置４００から正しく音声が出力されているか否かを判別する。
【００６１】
このとき、テスト音声を出力したまま、映像信号の出力を停止し、映像表示装置４００で映像が入力されていない場合に、音声がミュートされることを自動的に確認する。映像信号の出力を停止した際に、音声がミュートされない場合には、以降の処理で音声は使用しないようにする。
【００６２】
ステップＳ８０３の判別の結果、映像と音声が映像表示装置４００で正しく出力されているときは、映像フォーマットの選択処理(ステップＳ８０４)では、できるだけ高精細な映像フォーマットで表示を行うために、Ｄ５相当に対応した映像表示装置４００に接続されていると仮定して、１０８０ｐの映像フォーマットから映像出力を行う(ステップＳ８０５)(映像出力手段)。
【００６３】
ステップＳ８０３の判別の結果、映像及び音声が正しく出力されていないときは、その旨ユーザーへ液晶パネル１０９の表示により知らせ、そして、接続を確認させて、映像入力デバイス１０１を映像表示装置４００に向けるように指示を出す。
【００６４】
次いで、記録再生装置１００は、映像入力デバイス１０１の映像入力から映像表示装置４００に映像が正しく表示されているか否か、又、音声も音声入力デバイス１０５を用いて正しく出力されているか否かを判別する (ステップＳ８０６)。映像表示装置４００に映像及び音声が正しく表示されていないときは(ステップＳ８０６でＮＯ)、映像表示装置４００がその映像フォーマットに対応していないので、記録再生装置１００は次の映像フォーマットへ処理を進める。
【００６５】
ステップＳ８０６の判別の結果、映像及び音声が表示されなかったときは、ステップＳ８０４以降の処理を繰り返して、フォーマット選択処理として、次は、Ｄ４相当に対応した映像表示装置４００に接続されていると仮定して、７２０ｐの映像フォーマットで映像出力を行う(ステップＳ８０５)。同様の処理を、映像フォーマットを切り替えながら（切り替え手段）繰り返し、映像表示が確認できるまで行う。
【００６６】
ステップＳ８０６の判別の結果、記録再生装置１００が映像表示装置４００での映像及び音声が正しく表示されたときは、ユーザーは決定ボタンなどを押すこと（指示手段）で、記録再生装置１００へ映像フォーマット決定を行って、記録再生装置１００に、その映像フォーマットに出力を固定させて(ステップＳ８０７)(フォーマット決定手段)、本処理を終了する。
【００６７】
本変形例では、記録再生装置１００が自動的に映像表示装置４００で映像が表示されているかを判別しようとするため、接続が正しくない場合には、正常に処理が行えない。従って、Ｄ端子及び音声出力端子から出力した映像と音声が映像表示装置４００にて正しく出力されているか否かを判断するために、予め接続確認を行っておく必要がある。
本変形例では、この接続確認を、映像入力デバイス１０１と音声入力デバイス１０５を使用し、予め自動的に行ってから、図６と同様の処理を行うことで自動的に最適な映像フォーマットを選択する。
【００６８】
図８の処理によれば、記録再生装置１００で映像表示装置４００が表示可能な一番高精細な映像フォーマットを自動的に設定することができる。従って、ユーザーは映像表示装置４００が表示可能な映像フォーマットを知ることなく簡単に最適な映像フォーマットで映像を見ることができる。
【００６９】
上記実施の形態では、記録再生装置１００が出力する映像フォーマットが、Ｄ端子(Ｄ端子１１０、４０１)によって接続された映像表示装置４００で対応していない映像フォーマットだった場合に、映像表示装置４００では何も表示されない。そのために、記録再生装置１００が出力している映像フォーマットがなにかをユーザーが知ることができない。又、ユーザーは映像表示装置４００で表示が出るまで、順に映像フォーマットが代わっているかを確認することができない。
【００７０】
従って、なんらかの方法で記録再生装置１００が出力する映像フォーマットをユーザーに知らせる必要があるが、記録再生装置１００に液晶モニターがついている場合には、出力している映像とともに出力している映像フォーマットの種類を表示することが可能である。
【００７１】
図９は、図１に示す画像再生装置に取り付けられた液晶モニターの表示画面を示す図である。
【００７２】
図９に示すように、記録再生装置１００の液晶モニター９００に現在Ｄ端子１１０に出力している映像とともに出力している映像フォーマットの種類を表示する(映像表示手段)。映像フォーマットの種類を表示することで、ユーザーに記録再生装置１００が出力している映像フォーマットを知らせることができる。
【００７３】
又、ユーザーがＤ端子ケーブル５００をつなぎ忘れていた場合や、あるいは映像表示装置４００がＤ端子４０１の信号を表示する設定になっていない場合には、映像表示装置４０１には何も表示されない状態が続く。
【００７４】
しかし、液晶モニター９００に現在出力している映像とともに出力している映像フォーマットの種類を表示しておけば、ユーザーは、記録再生装置１００と映像表示装置４００の接続状態を把握することができる。
【００７５】
例えば、４８０ｉの映像フォーマットはＤ端子４０１を有する映像表示装置４００では必ず表示される。従ってこれが表示されない場合は、Ｄ端子ケーブル５００が正しく接続がされていないか、映像表示装置４００がＤ端子の信号を表示する設定になっていないかなどが考えられる。この場合、液晶モニター９００の表示画面にその旨を告げるメッセージを表示してユーザーに接続確認を促すといったことができる。
【００７６】
上記実施の形態では、Ｄ端子への映像出力を説明したが、本発明は、Ｄ端子に限定されるものではない。記録再生装置１００は、映像表示装置４００に対して複数の映像フォーマットの映像データを順次出力しながら、映像表示装置４００が表示できる最も高精細な映像フォーマットを選択する点に特徴がある。
【００７７】
又、本発明の目的は、上記実施の形態の機能を実現するソフトウェアのプログラムコードを記録した記憶媒体(又は記録媒体)を、システム又は装置に供給し、そのシステム又は装置のコンピュータ(又はＣＰＵやＭＰＵ)が記憶媒体に格納されたプログラムコードを読み出すことによっても達成されることは言うまでもない。
【００７８】
プログラムを供給する記憶媒体としては、例えば、ＲＡＭ、ＮＶ−ＲＡＭ、フロッピー(登録商標)ディスク、光ディスク、光磁気ディスク、ＣＤ−ＲＯＭ、ＭＯ、ＣＤ−Ｒ、ＣＤ−ＲＷ、ＤＶＤ(ＤＶＤ−ＲＯＭ、ＤＶＤ−ＲＡＭ、ＤＶＤ−ＲＷ、ＤＶＤ＋ＲＷ)、磁気テープ、不揮発性のメモリカード、他のＲＯＭなどの上記プログラムを記憶できるものであればよい。又は、上記プログラムは、インターネット、商用ネットワーク、もしくはローカルエリアネットワークなどに接続される不図示の他のコンピュータやデータベースなどからダウンロードされることにより供給される。
【００７９】
この場合、記憶媒体から読み出されたプログラムコード自体が前述した実施の形態の機能を実現することになり、そのプログラムコードを記憶した記憶媒体は本発明を構成することになる。
【００８０】
又、コンピュータが読み出したプログラムコードを実行することにより、前述した実施の形態の機能が実現されるだけでなく、そのプログラムコードの指示に基づき、コンピュータ上で稼動しているオペレーティングシステム(ＯＳ)などが実際の処理の一部又は全部を行い、その処理によって前述した実施の形態の機能が実現される場合も含まれることは言うまでもない。
【００８１】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部又は全部を行い、その処理によって前述した実施の形態の機能が実現される場合も含まれることは言うまでもない。
【００８２】
又、上記プログラムは、上述した実施の形態の機能をコンピュータで実現することができればよく、その形態は、オブジェクトコード、インタプリタにより実行されるプログラム、ＯＳに供給されるスクリプトデータなどの形態を有するものでもよい。
【図面の簡単な説明】
【００８３】
【図１】本発明の実施の形態に係る映像処理装置としての記録再生装置の構成を概略的に示す図である。
【図２】図１におけるＤ端子を説明する図であり、(ａ)はピン配置を示し、(ｂ)はピンと信号の対応図表である。
【図３】図２に示すＤ端子と映像フォーマットとの対応図表である。
【図４】図１の記録再生装置と接続される映像表示装置の構成を概略的に示す図である。
【図５】図１の記録再生装置と図４の映像表示装置の接続状態を示す図である。
【図６】図１の記録再生装置によって実行される映像フォーマット決定の処理の手順を示すフローチャートである。
【図７】図６に示すフローチャートにおけるフォーマット選択処理でのフォーマットの選択順番を説明する図である。
【図８】図６の映像フォーマット決定処理の変形例の手順を示すフローチャートである。
【図９】図１に示す映像入出力装置に取り付けられた液晶モニターの表示画面を示す図である。
【符号の説明】
【００８４】
１００  映像入出力装置
１０１  映像入力デバイス
１０２  映像信号回路
１０３  記録再生制御回路
１０４  記録メディア
１０５  音声入力デバイス
１０６  音声信号回路
１０７  メモリ
１０８  フォーマット変換回路
１０９  液晶パネル
１１０  Ｄ端子
１１１  ＣＰＵ
【図１】
2007201614.tif 000003
【図２】
2007201614.tif 000004
【図３】
2007201614.tif 000005
【図４】
2007201614.tif 000006
【図５】
2007201614.tif 000007
【図６】
2007201614.tif 000008
【図７】
2007201614.tif 000009
【図８】
2007201614.tif 000010
【図９】
2007201614.tif 000011